(57)【要約】【課題】空調部分と給湯部分とを備えたヒートポンプシステムにおいて、対象空間を安定して暖房する。【解決手段】ヒートポンプシステム１は、熱源ユニット２、該ユニット２に接続されている第１利用ユニット４ａ及び第２利用ユニット１０ａ、温度センサ１０７ａ、温度差算出部１１７ａ、第１及び第２利用ユニット制御部１１９ａ，１２０ａを備える。第１利用ユニット４ａは、冷媒−水媒体用の第１利用側熱交換器４１ａを有し、第２利用ユニット１０ａは、冷媒−空気媒体用の第２利用側熱交換器１０１ａを有する。温度差算出部１１７ａは、各利用ユニット４ａ，１０ａが共に運転している場合に、第１利用ユニット４ａの目標設定温度Ｔｏと温度センサ１０７ａによる対象空間ｓｑ内の検知温度Ｔｒとの温度差Ｔｘを算出する。各利用ユニット制御部１１９ａ，１２０ａは、当該温度差Ｔｘに基づいて、各利用ユニット４ａ，１０ａの運転負荷を制御する。【選択図】図５
2010196955.tif 000002
【特許請求の範囲】
【請求項１】
熱源ユニット（２，２０２）と、
前記熱源ユニット（２，２０２）に接続され、冷媒と水媒体との熱交換を行う第１利用側熱交換器（４１ａ）を有する第１利用ユニット（４ａ，２０４ａ）と、
前記熱源ユニット（２，２０２）に接続され、冷媒と空気媒体との熱交換を行う第２利用側熱交換器（１０１ａ）を有する第２利用ユニット（１０ａ，２１０ａ）と、
前記第１利用側熱交換器（４１ａ）にて熱交換された水媒体及び前記第２利用側熱交換器（１０１ａ）にて熱交換された空気媒体を利用して暖房が行われる対象空間の温度を検知する温度検知部（１０７ａ，３０７ａ）と、
前記第１利用ユニット（４ａ，２０４ａ）と前記第２利用ユニット（１０ａ，２１０ａ）とが共に運転している場合に、前記第１利用ユニット（４ａ，２０４ａ）の目標設定温度と前記温度検知部（１０７ａ，３０７ａ）により検知された温度との温度差を算出する温度差算出部（１１８ａ，３１８ａ）と、
前記温度差算出部（１１８ａ，３１８ａ）により算出された前記温度差に基づいて、前記第１利用ユニット（４ａ，２０４ａ）及び前記第２利用ユニット（１０ａ，２１０ａ）の運転負荷を制御する制御部（１１９ａ，１２０ａ，３１９ａ，３２０ａ）と、
を備える、ヒートポンプシステム（１，２００）。
【請求項２】
前記温度検知部（１０７ａ，３０７ａ）は、前記第２利用ユニット（１０ａ，２１０ａ）に設けられており、
前記制御部（１１９ａ，１２０ａ，３１９ａ，３２０ａ）は、
前記温度差が所定値以上である場合、前記第２利用ユニット（１０ａ，２１０ａ）を優先的に運転させ、
前記温度差が前記所定値以下である場合、前記第１利用ユニット（４ａ，２０４ａ）を優先的に運転させる、
請求項１に記載のヒートポンプシステム（１，２００）。
【請求項３】
前記第１利用ユニット（４ａ）は、前記第１利用側熱交換器（４１ａ）を流れる冷媒の流量を可変する第１利用側流量調節弁（４２ａ）、を更に有しており、
前記制御部（１１９ａ）は、前記温度差が前記所定値以上である場合、前記第１利用側流量調節弁（４２ａ）の開度を前記温度差が前記所定値以下の場合よりも小さくする制御を行うことで、前記第２利用ユニット（１０ａ）を優先的に運転させる、
請求項２に記載のヒートポンプユニット（１）。
【請求項４】
前記第１利用ユニット（２０４ａ）は、前記第１利用側熱交換器（４１ａ）にて熱交換を行う水媒体が流れる水媒体回路（８０ａ）において、水媒体を循環させる循環ポンプ（４３ａ）、を更に有しており、
前記制御部（３１９ａ）は、前記温度差が前記所定値以上である場合、前記循環ポンプ（４３ａ）の流量が減少するように前記循環ポンプ（４３ａ）の流量制御を行うことで、前記第２利用ユニット（２１０ａ）を優先的に運転させる、
請求項２に記載のヒートポンプユニット（２００）。
【請求項５】
前記第２利用ユニット（１０ａ）は、前記第２利用側熱交換器（１０１ａ）を流れる冷媒の流量を可変する第２利用側流量調節弁（１０２ａ）、を更に有しており、
前記制御部（１２０ａ）は、前記温度差が前記所定値以下である場合、前記第２利用側流量調節弁（１０２ａ）の開度を前記温度差が前記所定値以上の場合よりも小さくする制御を行うことで、前記第１利用ユニット（４ａ）を優先的に運転させる、
請求項２〜４のいずれかに記載のヒートポンプユニット（１）。
【請求項６】
前記第２利用ユニット（２１０ａ）は、対象空間に空調空気が供給される空気流を生成するファン（１０５ａ）、を更に有しており、
前記制御部（３２０ａ）は、前記温度差が前記所定値以下である場合、前記第２利用ユニット（２１０ａ）の前記ファン（１０５ａ）の風量を減少させる制御を行うことで、前記第１利用ユニット（２０４ａ）を優先的に運転させる、
請求項２〜４のいずれかに記載のヒートポンプユニット（２００）。
【発明の詳細な説明】
【技術分野】
【０００１】
本発明は、ヒートポンプシステムに関する。
【背景技術】
【０００２】
従来より、特許文献１（特開２０００−４６４１７号公報）に示されるように、対象空間に対し空調を行う空調部分と、水媒体を加熱する給湯部分と、例えば床暖房パネルである温水利用型暖房部分とが１つずつ組み合わせられることで構成されたシステムが知られている。空調部分には、冷媒と空気媒体との間で熱交換を行う熱交換器が含まれており、当該熱交換器にて熱交換された後の空調空気は対象空間内に供給される。一方、給湯部分には、冷媒と水媒体との間で熱交換を行う熱交換器が含まれており、温水利用型暖房部分は、当該熱交換器によって熱交換された後の温水を用いて対象空間を暖房する。つまり、給湯部分が水を加熱する給湯運転を行うことで、温水利用型暖房部分は、対象空間に対し暖房を行うことができる。
【発明の概要】
【発明が解決しようとする課題】
【０００３】
上記システムにおいては、空調部分及び温水利用型暖房部分の両方で対象空間が温められる場合、空調部分が暖房運転を行うと共に給湯部分が給湯運転を行うこととなる。しかしながらこの場合、対象空間が空調部分のみで暖房される場合に比して、利用側機器（つまり、空調部分及び給湯部分）の総容量が大きくなってしまう。すると、利用側機器である空調部分及び給湯部分が接続されている熱源側部分の能力不足が生じてしまい、場合によっては空調部分が対象空間内に吹き出す空調空気の温度が低下し、いわゆるコールドドラフトが発生する恐れがある。
【０００４】
そこで、本発明は、空調部分と給湯部分とを備えたヒートポンプシステムにおいて、対象空間を安定して暖房することを目的とする。
【課題を解決するための手段】
【０００５】
発明１に係るヒートポンプシステムは、熱源ユニットと、第１利用ユニットと、第２利用ユニットと、温度検知部と、温度差算出部と、制御部とを備える。第１利用ユニットは、熱源ユニットに接続されており、第１利用側熱交換器を有する。第１利用側熱交換器は、冷媒と水媒体との熱交換を行う。第２利用ユニットは、熱源ユニットに接続されており、第２利用側熱交換器を有する。第２利用側熱交換器は、冷媒と空気媒体との熱交換を行う。温度検知部は、第１利用側熱交換器にて熱交換された水媒体及び第２利用側熱交換器にて熱交換された空気媒体を利用して暖房が行われる対象空間の温度を検知する。温度差算出部は、第１利用ユニットと第２利用ユニットとが共に運転している場合に、第１利用ユニットの目標設定温度と温度検知部により検知された温度との温度差を算出する。制御部は、温度差算出部により算出された温度差に基づいて、第１利用ユニット及び第２利用ユニットの運転負荷を制御する。
【０００６】
ここで、第１利用ユニットは、冷媒と水媒体との熱交換を行う第１利用側熱交換器を有しているため、水媒体を加熱する、いわゆる給湯運転を行うことができる。第２利用ユニットは、冷媒と空気媒体との熱交換を行う第２利用側熱交換器を有しているため、空気媒体を加熱する暖房運転等を行うことができる。このヒートポンプシステムでは、対象空間に対し、例えば熱交換後の水媒体及び空気媒体を利用した暖房が行われている場合、即ち第１利用ユニットが給湯運転を行うと共に第２利用ユニットが暖房運転を行う場合には、第１利用ユニットの目標設定温度と温度検知部による検知温度との温度差に基づいて、第１利用ユニット及び第２利用ユニットの運転負荷が制御される。そのため、各利用ユニットの運転能力の総和が熱源ユニットの暖房定格容量を超過する恐れを抑制することができ、対象空間を安定して暖房することができる。
【０００７】
発明２に係るヒートポンプシステムは、発明１に係るヒートポンプシステムであって、温度検知部は、第２利用ユニットに設けられている。制御部は、温度差が所定値以上である場合、第２利用ユニットを優先的に運転させる。また、制御部は、温度差が所定値以下である場合、第１利用ユニットを優先的に運転させる。
【０００８】
本発明に係るヒートポンプシステムでは、第１利用ユニットにおいて熱交換され温められた水媒体は、例えば床暖房パネル等によって対象空間内の暖房に利用されるが、一般的には、水媒体を利用した暖房運転よりも、空気媒体を利用した暖房運転の方が対象空間内を早く温めることができるという特徴を有している。このヒートポンプシステムでは、第１利用ユニットの目標設定温度と対象空間内の温度との温度差が所定値よりも大きい場合には、第２利用ユニットの運転を優先するため、対象空間内の温度を目標設定温度に早く近づけることができる。逆に、当該温度差が所定値よりも小さい場合には、第１利用ユニットの運転を優先するため、対象空間内の温度は、目標設定温度に緩やかに近づくか、または目標設定温度となった対象空間内の温度をキープすることができる。
【０００９】
発明３に係るヒートポンプシステムは、発明２に係るヒートポンプシステムであって、第１利用ユニットは、第１利用側流量調節弁を更に有している。第１利用側流量調節弁は、第１利用側熱交換器を流れる冷媒の流量を可変する。そして、制御部は、温度差が所定値以上である場合、第１利用側流量調節弁の開度を温度差が所定値以下の場合よりも小さくする制御を行うことで、第２利用ユニットを優先的に運転させる。
【００１０】
このヒートポンプシステムによると、第２利用ユニットの運転が優先される際、第１利用側流量調節弁の開度が小さくなるように制御される。つまり、第１利用側流量調節弁の開度が小さくなることで、第１利用側熱交換器を流れる冷媒の流量が少なくなるため、第１利用ユニットの運転負荷が小さくなり、第２利用ユニットが優先されるようになる。
【００１１】
発明４に係るヒートポンプシステムは、発明２に係るヒートポンプシステムであって、第１利用ユニットは、循環ポンプを更に有している。循環ポンプは、第１利用側熱交換器にて熱交換を行う水媒体が流れる水媒体回路において、水媒体を循環させる。そして、制御部は、温度差が所定値以上である場合、循環ポンプの流量が減少するように循環ポンプの流量制御を行うことで、第２利用ユニットを優先的に運転させる。
【００１２】
このヒートポンプシステムによると、第２利用ユニットの運転が優先される際、第１利用ユニットの第１利用側熱交換器へと流れる流量が小さくなるように、循環ポンプの流量が制御される。つまり、循環ポンプにより水媒体回路上を循環する水媒体の流量を減少させることによって、第１利用側熱交換器に流入する熱交換の対象となる水媒体の流量が少なくなる。そのため、第１利用ユニットの運転負荷が小さくなり、第２利用ユニットの運転が優先されるようになる。
【００１３】
発明５に係るヒートポンプシステムは、発明２〜４のいずれかに係るヒートポンプシステムであって、第２利用ユニットは、第２利用側流量調節弁を更に有している。第２利用側流量調節弁は、第２利用側熱交換器を流れる冷媒の流量を可変する。そして、制御部は、温度差が所定値以下である場合、第２利用側流量調節弁の開度を温度差が所定値以上の場合よりも小さくする制御を行うことで、第１利用ユニットを優先的に運転させる。
【００１４】
このヒートポンプシステムによると、第１利用ユニットの運転が優先される際、第２利用側流量調節弁の開度が小さくなるように制御される。つまり、第２利用側流量調節弁の開度が小さくなることで、第２利用側熱交換器を流れる冷媒の流量が少なくなるため、第２利用ユニットの運転負荷が小さくなり、第１利用ユニットが優先されるようになる。
【００１５】
発明６に係るヒートポンプシステムは、発明２〜４のいずれかに係るヒートポンプシステムであって、第２利用ユニットは、ファンを更に有している。ファンは、対象空間に空調空気が供給される空気流を生成する。そして、制御部は、温度差が所定値以下である場合、第２利用ユニットのファンの風量を減少させる制御を行うことで、第１利用ユニットを優先的に運転させる。
【００１６】
このヒートポンプシステムによると、第１利用ユニットの運転が優先される際、第２利用ユニットのファンの風量が減少するように制御される。つまり、ファンの風量が減少することにより、第２利用ユニットの運転負荷が小さくなるため、第１利用ユニットが優先されるようになる。
【発明の効果】
【００１７】
発明１に係るヒートポンプシステムによると、各利用ユニットの運転能力の総和が熱源ユニットの暖房定格容量を超過する恐れを抑制することができ、対象空間を安定して暖房することができる。
【００１８】
発明２に係るヒートポンプシステムによると、第１利用ユニットの目標設定温度と対象空間内の温度との温度差が所定値よりも大きい場合には、第２利用ユニットの運転が優先されるため、対象空間内の温度を目標設定温度に早く近づけることができる。逆に、当該温度差が所定値よりも小さい場合には、第１利用ユニットの運転が優先されるため、対象空間内の温度は、目標設定温度に緩やかに近づくか、または目標設定温度となった対象空間内の温度をキープすることができる。
【００１９】
発明３に係るヒートポンプシステムによると、第１利用側流量調節弁の開度が小さくなることで、第１利用側熱交換器を流れる冷媒の流量が少なくなるため、第１利用ユニットの運転負荷が小さくなり、第２利用ユニットが優先されるようになる。
【００２０】
発明４に係るヒートポンプシステムによると、循環ポンプにより水媒体回路上を循環する水媒体の流量を減少させることによって、第１利用側熱交換器に流入する熱交換の対象となる水媒体の流量が少なくなる。そのため、第１利用ユニットの運転負荷が小さくなり、第２利用ユニットが優先されるようになる。
【００２１】
発明５に係るヒートポンプシステムによると、第２利用側流量調節弁の開度が小さくなることで、第２利用側熱交換器を流れる冷媒の流量が少なくなるため、第２利用ユニットの運転負荷が小さくなり、第１利用ユニットが優先されるようになる。
【００２２】
発明６に係るヒートポンプシステムによると、ファンの風量が減少することにより、第２利用ユニットの運転負荷が小さくなるため、第１利用ユニットが優先されるようになる。
【図面の簡単な説明】
【００２３】
【図１】第１実施形態に係るヒートポンプシステムの全体構成の概念図。
【図２】第１実施形態に係るヒートポンプシステムの構成概略図。
【図３】第１実施形態に係るリモートコントローラの構成を模式的に示す図。
【図４】第１実施形態に係るリモートコントローラの外観図。
【図５】第１実施形態に係るヒートポンプシステムの全体的な動作の流れを表すフローチャート。
【図６】第２実施形態に係るヒートポンプシステムの全体構成の概念図。
【図７】第２実施形態に係るヒートポンプシステムの構成概略図。
【図８】第２実施形態に係るリモートコントローラの構成を模式的に示す図。
【図９】第２実施形態に係るヒートポンプシステムの全体的な動作の流れを表すフローチャート。
【図１０】その他の実施形態（ｃ）に係るヒートポンプシステムの構成概略図。
【図１１】その他の実施形態（ｄ）に係るヒートポンプシステムの構成概略図。
【図１２】図２のヒートポンシステムにおいて、第２利用ユニットが２台である場合の構成概略図。
【図１３】図１０のヒートポンシステムにおいて、第２利用ユニットが２台である場合の構成概略図。
【図１４】図２のヒートポンシステムにおいて、第１利用ユニットが２台である場合の構成概略図。
【図１５】図１０のヒートポンシステムにおいて、第１利用ユニットが２台である場合の構成概略図。
【図１６】図２のヒートポンシステムにおいて、第１及び第２利用ユニットが共に２台である場合の構成概略図。
【図１７】図１０のヒートポンシステムにおいて、第１及び第２利用ユニットが共に２台である場合の構成概略図。
【発明を実施するための形態】
【００２４】
以下、本発明に係るヒートポンプシステムについて、図面を用いて詳述する。
【００２５】
＜第１実施形態＞
（１）ヒートポンプシステムの概要
図１は、本発明の第１実施形態に係るヒートポンプシステム１の構成を概念的に示す図である。図１に示すように、本実施形態に係るヒートポンプシステム１は、熱源ユニット２、第１利用ユニット４ａ、貯湯ユニット８ａ、温水暖房ユニット９ａ、第２利用ユニット１０ａ、温度センサ１０７ａ（温度検知部に相当）、及びリモートコントローラ１１ａ，１１ｃを備える。熱源ユニット２は、屋外に１台設置されており、第１利用ユニット４ａ、第２利用ユニット１０ａ、貯湯ユニット８ａ、温水暖房ユニット９ａは、それぞれ１台ずつ屋内に設置されている。第２利用ユニット１０ａは室内機であって、１つの対象空間ｓｑ内の天井に設置されている。また、当該対象空間ｓｑ内には、例えばラジエータや床暖房パネルである温水暖房ユニット９ａも設置されている。温度センサ１０７ａは、第２利用ユニット１０ａに設けられており、リモートコントローラ１１ａ，１１ｃは、各利用ユニット４ａ，１０ａに対応するようにして、対象空間内ｓｑの壁面等に設置されている。
【００２６】
また、熱源ユニット２は、各利用ユニット４ａ，１０ａに接続されており、第１利用ユニット４ａは、貯湯ユニット８ａ及び温水暖房ユニット９ａそれぞれとも接続されている。リモートコントローラ１１ａは、第２利用ユニット１０ａと接続されており、該利用ユニット１０ａを遠隔制御することができる。リモートコントローラ１１ｃは、温水暖房ユニット９ａに接続されており、温水暖房ユニット９ａを介して第１利用ユニット４ａを遠隔制御することができる。
【００２７】
このようなヒートポンプシステム１は、蒸気圧縮式のヒートポンプサイクルを利用して水媒体を加熱する運転や、当該水媒体を利用して対象空間ｓｑ内の空気を温めたりする運転等を行うことができる。具体的には、ヒートポンプシステム１は、以下の（Ｉ）〜（Ｖ）のモードで運転を行うことが可能となっている。
【００２８】
（Ｉ）第１利用ユニット４ａが給湯運転（具体的には、第１利用ユニット４ａに加え、貯湯ユニット８ａ及び／または温水暖房ユニット９ａも運転する）を行う、給湯モード。
【００２９】
（ＩＩ）第２利用ユニット１０ａのみが冷房運転を行うことで、対象空間ｓｑ内に対し冷房を行う、冷房モード。
【００３０】
（ＩＩＩ）第２利用ユニット１０ａのみが暖房運転を行うことで、対象空間ｓｑ内に対し暖房を行う、暖房モード。
【００３１】
（ＩＶ）第１利用ユニット４ａが給湯運転を行うと共に第２利用ユニット１０ａが冷房運転を行う、給湯冷房モード。
【００３２】
（Ｖ）第１利用ユニット４ａが給湯運転を行うと共に第２利用ユニット１０ａが暖房運転を行う、給湯暖房モード。
【００３３】
尚、図１では、一例として、温水暖房ユニット９ａが床暖房パネルである場合を図示している。
【００３４】
（２）構成
図２は、本実施形態に係るヒートポンプシステム１の構成を概略的に示す図である。図２に示すように、熱源ユニット２と第１利用ユニット４ａと第２利用ユニット１０ａとが冷媒連絡管１２，１３，１４を介して接続されることにより、熱源側冷媒回路２０が構成されている。第１利用ユニット４ａと貯湯ユニット８ａと温水暖房ユニット９ａとが水媒体連絡管１５ａ，１６ａを介して接続されることによって、水媒体回路８０ａが構成されている。熱源側冷媒回路２０には、ＨＦＣ系冷媒の一種であるＨＦＣ−４１０Ａが熱源側冷媒として封入されており、またＨＦＣ系冷媒に対して相溶性を有するエステル系またはエーテル系の冷凍機油が熱源側圧縮機２１（後述）の潤滑のために封入されている。また、水媒体回路８０ａには、水媒体としての水が循環するようになっている。
【００３５】
（２―１）熱源ユニット
熱源ユニット２は、冷媒連絡管１２，１３，１４を介して各利用ユニット４ａ，１０ａと接続されており、熱源側冷媒回路２０の一部を構成している。
【００３６】
熱源ユニット２は、主として、熱源側圧縮機２１、油分離機構２２、熱源側切換機構２３、熱源側熱交換器２４、熱源側膨張機構２５、吸入戻し管２６、過冷却器２７、及び熱源側アキュムレータ２８を有している。
【００３７】
熱源側圧縮機２１は、熱源側冷媒を圧縮するための機構である。本実施形態では、熱源側圧縮機２１としては、ケーシング（図示せず）内に収容されたロータリ式やスクロール式等の容積式の圧縮要素（図示せず）が、同じくケーシング内に収容された熱源側圧縮機モータ２１ａによって駆動される密閉式圧縮機が採用されている。この熱源側圧縮機２１のケーシング内には、圧縮要素において圧縮された後の熱源側冷媒が充満する高圧空間（図示せず）が形成されており、この高圧空間には、冷凍機油が溜められている。熱源側圧縮機モータ２１ａは、インバータ装置（図示せず）によってその回転数（即ち、運転周波数）を可変でき、これにより熱源側圧縮機２１の容量制御が可能になっている。
【００３８】
油分離機構２２は、熱源側圧縮機２１から吐出された熱源側冷媒中に含まれる冷凍機油を分離して熱源側圧縮機の吸入に戻すための機構である。油分離機構２２は、主として、熱源側圧縮機２１の熱源側吐出管２１ｂに設けられた油分離器２２ａと、油分離器２２ａと熱源側圧縮機２１の熱源側吸入管２１ｃとを接続する油戻し管２２ｂとを有している。油分離器２２ａは、熱源側圧縮機２１から吐出された熱源側冷媒中に含まれる冷凍機油を分離する機器である。油戻し管２２ｂは、キャピラリチューブを有しており、油分離器２２ａにおいて熱源側冷媒から分離された冷凍機油を熱源側圧縮機２１の熱源側吸入管２１ｃに戻す冷媒管である。
【００３９】
熱源側切換機構２３は、熱源側熱交換器２４を熱源側冷媒の放熱器として機能させる熱源側放熱運転状態と熱源側熱交換器２４を熱源側冷媒の蒸発器として機能させる熱源側蒸発運転状態とを切り換え可能な四路切換弁で構成されている。熱源側切換機構２３は、熱源側吐出管２１ｂ、熱源側吸入管２１ｃ、熱源側熱交換器２４のガス側に接続された第１熱源側ガス冷媒管２３ａ、及びガス側閉鎖弁３０に接続された第２熱源側ガス冷媒管２３ｂに接続されている。そして、熱源側切換機構２３は、熱源側吐出管２１ｂと第１熱源側ガス冷媒管２３ａとを連通させるとともに、第２熱源側ガス冷媒管２３ｂと熱源側吸入管２１ｃとを連通（熱源側放熱運転状態。図１の熱源側切換機構２３の実線）する切換を行うことが可能である。また、熱源側切換機構２３は、熱源側吐出管２１ｂと第２熱源側ガス冷媒管２３ｂとを連通させるとともに、第１熱源側ガス冷媒管２３ａと熱源側吸入管２１ｃとを連通（熱源側蒸発運転状態。図１の熱源側切換機構２３の破線）する切換を行うことが可能である。尚、本実施形態では、熱源側切換機構２３が四路切換弁で構成される場合を例に採っているが、熱源側切換機構２３は、熱源側冷媒の流れ方向を切り換えられればよいため、四路切換弁に限定されない。熱源側切換機構２３は、例えば複数の電磁弁で構成されていてもよい。
【００４０】
熱源側熱交換器２４は、熱源側冷媒と室外空気との熱交換を行うことで熱源側冷媒の放熱器又は蒸発器として機能する熱交換器である。熱源側熱交換器２４の液側は、熱源側液冷媒管２４ａに接続され、該熱交換器２４のガス側は、第１熱源側ガス冷媒管２３ａに接続されている。この熱源側熱交換器２４の熱交換に用いられる室外空気は、熱源側ファンモータ３２ａにより回転駆動される熱源側ファン３２によって供給されるようになっている。
【００４１】
熱源側膨張機構２５は、熱源側熱交換器２４を流れる熱源側冷媒の減圧等を行う電動膨張弁であり、熱源側液冷媒管２４ａに設けられている。
【００４２】
吸入戻し管２６は、熱源側液冷媒管２４ａを流れる熱源側冷媒の一部を分岐して熱源側圧縮機２１の吸入に戻す冷媒管であって、一端が熱源側液冷媒管２４ａに接続されており、その他端が熱源側吸入管２１ｃに接続されている。また、吸入戻し管２６には、例えば電動膨張弁で構成される開度制御が可能な吸入戻し膨張弁２６ａが設けられている。
【００４３】
過冷却器２７は、熱源側液冷媒管２４ａを流れる熱源側冷媒と吸入戻し管２６を流れる熱源側冷媒（具体的には、吸入戻し膨張弁２６ａによって減圧された後の冷媒）との熱交換を行う熱交換器である。
【００４４】
熱源側アキュムレータ２８は、熱源側吸入管２１ｃに設けられており、熱源側冷媒回路２０を循環する熱源側冷媒を熱源側吸入管２１ｃから熱源側圧縮機２１に吸入される前に一時的に溜めるための容器である。
【００４５】
また、熱源側液冷媒管２４ａと冷媒連絡管１３との接続部には液側閉鎖弁２９が設けられ、第２熱源側ガス冷媒管２３ｂと冷媒連絡管１４との接続部にはガス側閉鎖弁３０が設けられている。熱源側吐出管２１ｂから分岐された熱源側吐出分岐管２１ｄと冷媒連絡管１２との接続部には、吐出側閉鎖弁３１が設けられている。
【００４６】
また、熱源ユニット２には、各種センサが設けられている。センサの種類としては、熱源側圧縮機２１の吸入側において熱源側冷媒の圧力を検出する熱源側吸入圧力センサ３３、熱源側圧縮機２１の吐出側において熱源側冷媒の圧力を検出する熱源側吐出圧力センサ３４、熱源側熱交換器２４の液側において熱源側冷媒の温度を検出する熱源側熱交温度センサ３５、外気温度を検出する外気温度センサ３６が挙げられる。
【００４７】
（２−２）第１利用ユニット
第１利用ユニット４ａは、冷媒連絡管１２，１３を介して熱源ユニット２及び第２利用ユニット１０ａに接続されており、熱源側冷媒回路２０の一部を構成している。また、第１利用ユニット４ａは、水媒体連絡管１５ａ，１６ａを介して貯湯ユニット８ａ及び温水暖房ユニット９ａに接続されており、水媒体回路８０ａの一部を構成している。
【００４８】
このような第１利用ユニット４ａは、主として、第１利用側熱交換器４１ａと、第１利用側流量調節弁４２ａと、循環ポンプ４３ａとを有している。
【００４９】
第１利用側熱交換器４１ａは、熱源側冷媒と水媒体との熱交換を行うことで熱源側冷媒の放熱器として機能する熱交換器である。第１利用側熱交換器４１ａにおいて、熱源側冷媒が流れる流路の液側には、第１利用側液冷媒管４５ａが接続されており、当該流路のガス側には、第１利用側吐出冷媒管４６ａが接続されている。そして、第１利用側熱交換器４１ａにおいて、水媒体が流れる流路の入口側には、第１利用側水入口管４７ａが接続されており、当該水媒体が流れる流路の出口側には、第１利用側水出口管４８ａが接続されている。尚、第１利用側液冷媒管４５ａには、冷媒連絡管１３が接続されており、第１利用側吐出冷媒管４６ａには、冷媒連絡管１２が接続されている。第１利用側水入口管４７ａには、水媒体連絡管１５ａが接続されており、第１利用側水出口管４８ａには、水媒体連絡管１６ａが接続されている。
【００５０】
第１利用側流量調節弁４２ａは、開度制御を行うことで第１利用側熱交換器４１ａを流れる熱源側冷媒の流量を可変することが可能な電動膨張弁であり、第１利用側液冷媒管４５ａに設けられている。
【００５１】
第１利用側吐出冷媒管４６ａには、冷媒連絡管１２から第１利用側熱交換器４１ａへ向かう熱源側冷媒の流れを許容し、第１利用側熱交換器４１ａから冷媒連絡管１２へ向かう熱源側冷媒の流れを禁止する第１利用側吐出逆止弁４９ａが設けられている。
【００５２】
循環ポンプ４３ａは、水媒体の昇圧を行う機構であって、第１利用側水出口管４８ａに設けられている。循環ポンプ４３ａは、第１利用側熱交換器４１ａにて熱交換を行う水媒体が流れる水媒体回路８０ａにおいて、当該水媒体を循環させることが可能となっている。本実施形態では、循環ポンプ４３ａとして、遠心式や容積式のポンプ要素（図示せず）が循環ポンプモータ４４ａによって駆動されるポンプが採用されている。循環ポンプモータ４４ａは、インバータ装置（図示せず）によってその回転数（即ち、運転周波数）を可変でき、これにより循環ポンプ４３ａの容量制御が可能となっている。
【００５３】
このような構成を有する第１利用ユニット４ａは、第１利用側熱交換器４１ａを冷媒連絡管１２から導入される熱源側冷媒の放熱器として機能させることで、第１利用側熱交換器４１ａにおいて放熱した熱源側冷媒を冷媒連絡管１３に導出し、第１利用側熱交換器４１ａにおける熱源側冷媒の放熱によって水媒体を加熱する給湯運転を行うことが可能になっている。このように、第１利用ユニット４ａが給湯運転を行う場合としては、ヒートポンプシステム１の“給湯モード”“給湯暖房モード”に相当する。
【００５４】
また、第１利用ユニット４ａには、各種センサが設けられている。センサの種類としては、第１利用側熱交換器４１ａの液側における熱源側冷媒の温度を検出する第１利用側熱交温度センサ５０ａ、第１利用側熱交換器４１ａの入口における水媒体の温度を検出する水媒体出口温度センサ５１ａ、第１利用側熱交換器４１ａの出口における水媒体の温度を検出する水媒体出口温度センサ５２ａが挙げられる。
【００５５】
尚、第１利用ユニット４ａは、図示してはいないが、第１利用ユニット４ａの各機器を制御するための制御部を有している。
【００５６】
（２−３）貯湯ユニット
貯湯ユニット８ａは、水媒体連絡管１５ａ，１６ａを介して第１利用ユニット４ａに接続されており、水媒体回路８０ａの一部を構成している。貯湯ユニット８ａは、主として、貯湯タンク８１ａと、熱交換コイル８２ａとを有している。
【００５７】
貯湯タンク８１ａは、給湯に利用される水媒体としての水を溜める容器である。貯湯タンク８１ａの上部には、蛇口やシャワー等に温められた水媒体を送るための給湯管８３ａが接続されており、下部には、給湯管８３ａによって消費された水媒体の補充を行うための給水管８４ａが接続されている。
【００５８】
熱交換コイル８２ａは、貯湯タンク８１ａ内に設けられており、水媒体回路８０ａを循環する水媒体と貯湯タンク８１ａ内の水媒体との熱交換を行うことで貯湯タンク８１ａ内の水媒体を加熱する（即ち、熱交換器として機能）。熱交換コイル８２ａの入口には、水媒体連絡管１６ａが接続されており、出口には、水媒体連絡管１５ａが接続されている。
【００５９】
このような構成を有する貯湯ユニット８ａは、第１利用ユニット４ａにて加熱された水媒体回路８０ａ中の水媒体（つまり、温水）により、貯湯タンク８１ａ内の水媒体を加熱し、加熱後の水を貯留することが可能となっている。尚、本実施形態においては、貯湯ユニット８ａが、第１利用ユニット４ａにて加熱された水媒体との熱交換によって加熱された水媒体を貯湯タンクに溜める型式のユニットである場合について説明している。しかし、貯湯ユニットとしては、第１利用ユニット４ａにおいて加熱された水媒体そのものを貯湯タンクに溜める型式のユニットが採用されてもよい。
【００６０】
また、貯湯ユニット８ａには、各種センサが設けられている。センサの種類としては、貯湯タンク８１ａに溜められる水媒体の温度を検出するための貯湯温度センサ８５ａ等が挙げられる。
【００６１】
尚、貯湯ユニット８ａは、図示してはいないが、貯湯ユニット８ａの各機器を制御するための制御部を有している。
【００６２】
（２―４）温水暖房ユニット
温水暖房ユニット９ａは、水媒体連絡管１５ａ，１６ａを介して第１利用ユニット４ａに接続されており、水媒体回路８０ａの一部を構成している。温水暖房ユニット９ａは、主として、熱交換パネル９１ａを有している。
【００６３】
熱交換パネル９１ａは、床暖房パネルであって、対象空間ｓｑ内の床下等に設けられている。熱交換パネル９１ａは、水媒体回路８０ａを循環する水媒体の放熱器として機能する熱交換器であり、熱交換パネル９１ａの入口には、水媒体連絡管１６ａが接続されており、出口には、水媒体連絡管１５ａが接続されている。
【００６４】
尚、温水暖房ユニット９ａと第１利用ユニット４ａとを接続している水媒体連絡管１６ａ上には、三方弁からなる水媒体側切換機構１６１ａが設けられている。水媒体側切換機構１６１ａは、水媒体回路８０ａを循環する水媒体が貯湯ユニット８ａ及び温水暖房ユニット９ａの両方、又は、貯湯ユニット８ａ及び温水暖房ユニット９ａのいずれか一方に供給されるように、水媒体の流路切換を行うことができる。特に、水媒体回路８０ａを循環する水媒体（具体的には、温水）が温水暖房ユニット９ａに供給されると、対象空間ｓｑ内の床が加熱されるようになる。つまり、第１利用ユニット４ａの第１利用側熱交換器４１ａにて加熱された水媒体は、対象空間ｓｑの暖房に用いられることができる。ここで、上記のように温水が温水暖房ユニット９ａに供給される場合は、ヒートポンプシステム１が“給湯モード”“給湯暖房モード”である場合に該当する。
【００６５】
尚、温水暖房ユニット９ａは、図示してはいないが、温水暖房ユニット９ａの各機器を制御するための制御部を有している。
【００６６】
（２−５）第２利用ユニット
第２利用ユニット１０ａは、冷媒連絡管１３，１４を介して熱源ユニット２に接続されており、熱源側冷媒回路２０の一部を構成している。
【００６７】
第２利用ユニット１０ａは、主として、第２利用側熱交換器１０１ａ、第２利用側流量調節弁１０２ａ、及び利用側ファン１０５ａ（本発明に係るファンに相当）を有している。
【００６８】
第２利用側熱交換器１０１ａは、熱源側冷媒と空気媒体としての室内空気との熱交換を行うことで、熱源側冷媒の放熱器又は蒸発器として機能する熱交換器である。第２利用側熱交換器１０１ａの液側には、第２利用側液冷媒管１０３ａが接続され、ガス側には第２利用側ガス冷媒管１０４ａが接続されている。第２利用側液冷媒管１０３ａ、第２利用側ガス冷媒管１０４ａには、それぞれ冷媒連絡管１３、冷媒連絡管１４が接続されている。尚、この第２利用側熱交換器１０１ａの熱交換に用いられる空気媒体は、利用側ファン１０５ａによって対象空間ｓｑ内から供給されるようになっている。
【００６９】
第２利用側流量調節弁１０２ａは、開度制御を行うことで第２利用側熱交換器１０１ａを流れる熱源側冷媒の流量を可変することが可能な電動膨張弁であり、第２利用側液冷媒管１０３ａに設けられている。
【００７０】
利用側ファン１０５ａは、対象空間ｓｑ内の空気が空気媒体として第２利用ユニット１０ａのケーシング（図示せず）内部へと流れると共に、第２利用側熱交換器１０１ａにて熱交換された後の空気媒体（つまり、空調空気）が対象空間ｓｑ内に供給される空気流を生成する。利用側ファン１０５ａは、利用側ファンモータ１０６ａと接続されており、利用側ファンモータ１０６ａによって回転駆動される。
【００７１】
このような構成を有する第２利用ユニット１０ａでは、熱源側切換機構２３が熱源側放熱運転状態である場合、第２利用側熱交換器１０１ａが冷媒連絡管１３から導入される熱源側冷媒の蒸発器として機能し、第２利用側熱交換器１０１ａにおいて蒸発した熱源側冷媒が冷媒連絡管１４に導出されると、第２利用側熱交換器１０１ａにおける熱源側冷媒の蒸発によって空気媒体を冷却する冷房運転を行うことが可能になっている（ヒートポンプシステム１の“冷房モード”“給湯冷房モード”に相当）。また、第２利用ユニット１０ａでは、熱源側切換機構２３が熱源側蒸発運転状態である場合、第２利用側熱交換器１０１ａが冷媒連絡管１４から導入される熱源側冷媒の放熱器として機能し、第２利用側熱交換器１０１ａにおいて放熱した熱源側冷媒が冷媒連絡管１３に導出されると、第２利用側熱交換器１０１ａにおける熱源側冷媒の放熱によって空気媒体を加熱する暖房運転を行うことが可能になっている（ヒートポンプシステム１の“暖房モード”“給湯暖房モード”に相当）。
【００７２】
尚、第２利用ユニット１０ａは、図示してはいないが、第２利用ユニット１０ａの各機器を制御するための制御部を有している。
【００７３】
（２−６）温度センサ
温度センサ１０７ａは、上述した第２利用ユニット１０ａに設けられている。より具体的には、温度センサ１０７ａは、第２利用ユニット１０ａのケーシング（図示せず）に形成された吸い込み口（図示せず）付近に設けられている。温度センサ１０７ａは、吸い込み口から第２利用ユニット１０ａのケーシング内に吸い込まれてきた空気、つまり対象空間ｓｑ内における温度Ｔｒを検出する。例えば、ヒートポンプシステム１が“給湯暖房モード”であれば、温度センサ１０７ａは、第１利用側熱交換器４１ａにて熱交換された水媒体及び第２利用側熱交換器１０１ａにて熱交換された空気媒体を利用して暖房が行われている対象区間ｓｑ内の温度Ｔｒを検知することができる。
【００７４】
尚、本実施形態では、温度センサ１０７ａによって検知された温度Ｔｒは、第１利用ユニット４ａ及び第２利用ユニット１０ａの運転制御に用いられるが、その詳細については後述する。
【００７５】
（２−７）リモートコントローラ
リモートコントローラ１１ａ，１１ｃは、主として、表示部及び操作部を有している。ユーザは、各リモートコントローラ１１ａ，１１ｃを介して、接続先の各ユニットの目標設定温度を設定したり、各種運転に関する指示を行ったりすることができる。
【００７６】
特に、本実施形態では、リモートコントローラ１１ａ，１１ｃのうち、第２利用ユニット１０ａに接続されているリモートコントローラ１１ａは、第２利用ユニット１０ａの運転制御だけではなく、第１利用ユニット４ａの運転制御も行う。よって、以下では、リモートコントローラ１１ａの構成について説明する。
【００７７】
リモートコントローラ１１ａは、図３及び図４に示すように、第１通信部１１１ａ、第２通信部１１２ａ、操作部１１３ａ、表示部１１４ａ及び制御部１１５ａを有している。
【００７８】
〔第１通信部〕
第１通信部１１１ａは、第１利用ユニット４ａと通信を行うためのものであって、第１利用ユニット４ａに対し第１運転制御情報を出力したり、第１利用ユニット４ａの現在の運転状況を示す第１運転状況情報を第１利用ユニット４ａから取得したりする。第１運転制御情報としては、第１利用ユニット４ａの運転のオン及びオフ（具体的には、サーモオフ及びサーモオン）の指示や、第１利用ユニット４ａにおける循環ポンプ４３ａの流量を増減させるための流量制御指示、第１利用側流量調節弁４２ａの開度制御指示等が挙げられる。第１運転状況情報としては、第１利用ユニット４ａが現在給湯運転を行っているか否かといった情報や、第１利用ユニット４ａの目標設定温度Ｔｏが挙げられる。
【００７９】
第１通信部１１１ａが出力する第１運転制御情報は、第１利用ユニット制御部１１９ａ（後述）として機能する制御部１１５ａにより決定される。第１通信部１１１ａが出力した第１運転制御情報は、第１利用ユニット４ａにおける制御部（図示せず）によって受信され、第１運転制御情報に基づき第１利用ユニット４ａの各機器が制御されることになる。また、第１利用ユニット４ａの現在の運転状況等は、第１利用ユニット４ａにおける制御部（図示せず）によって把握され、第１通信部１１１ａは、第１利用ユニット４ａの制御部（図示せず）によって把握された内容を、第１運転状況情報として取得する。
【００８０】
〔第２通信部〕
第２通信部１１２ａは、第２利用ユニット１０ａと通信を行うためのものである。第２通信部１１２ａは、第２利用ユニット１０ａに対し第２運転制御情報を出力したり、第２利用ユニット１０ａの現在の運転状況を示す第２運転状況情報を取得したりする。また、第２通信部１１２ａは、第２利用ユニット１０ａに設けられている温度センサ１０７ａの検知結果（つまり、対象空間ｓｑ内の温度Ｔｒ）を、第２利用ユニット１０ａを介して取得する。第２運転制御情報としては、第２利用ユニット１０ａの運転のオン及びオフ（つまり、サーモオフ及びサーモオン）の指示や、第２利用ユニット１０ａから対象空間ｓｑ内へと吹き出される風量の強弱の制御指示（つまり、利用側ファン１０５ａの風量制御指示）、第２利用側流量調節弁１０２ａの開度制御指示、温度センサ１０７ａによる検知結果の出力指示等が挙げられる。第２運転状況情報としては、第２利用ユニット１０ａが現在どのような種類の運転を行っているのかといった情報や、第２利用ユニット１０ａがサーモオンまたはサーモオフの状態であるといった情報等が挙げられる。
【００８１】
第２通信部１１２ａが出力する第２運転制御情報は、第２利用ユニット制御部１２０ａ（後述）として機能する制御部１１５ａにより決定される。第２通信部１１２ａが出力した第２運転制御情報は、第２利用ユニット１０ａにおける制御部（図示せず）によって受信され、第２運転制御情報に基づき第２利用ユニット１０ａの各機器が制御されることになる。また、第２利用ユニット１０ａの現在の運転状況等は、第２利用ユニット１０ａにおける制御部（図示せず）によって把握され、第２通信部１１２ａは、第２利用ユニット１０ａの制御部（図示せず）によって把握された内容を、第２運転状況情報として取得する。
【００８２】
〔操作部〕
操作部１１３ａは、ヒートポンプシステム１を利用するユーザによって各種設定がなされる際に用いられるものであって、図４に示すように、様々なボタンで構成されている。操作部１１３ａは、ユーザによってボタンが押されることで各種設定がなされると、これを受け付ける。ユーザによってなされる各種設定としては、第２利用ユニット１０ａの目標設定温度の変更や、第２利用ユニット１０ａが行う運転の種類の指示、運転停止指示や運転開始指示等が挙げられる。
【００８３】
尚、本実施形態に係るリモートコントローラ１１ａは、第２利用ユニット１０ａの目標設定温度だけではなく、第１利用ユニット４ａの目標設定温度Ｔｏを設定可能に設けられていても良い。この場合、ユーザは、リモートコントローラ１１ｃを用いてだけではなく、リモートコントローラ１１ａの操作部１１３ａを用いて第１利用ユニット４ａの目標設定温度Ｔｏを設定することもできる。
【００８４】
〔表示部〕
表示部１１４ａは、液晶ディスプレイで構成されており、第２利用ユニット１０ａにおいて現在設定されている目標設定温度や、ユーザが操作部１１３ａを介して各種設定を行う際の、各種設定に関する情報等を表示することができる。
【００８５】
また、リモートコントローラ１１ａが、第１利用ユニット４ａの目標設定温度も設定可能に構成されている場合には、表示部１１４ａは、当該目標設定温度Ｔｏの設定画面を表示することもできる。
【００８６】
〔制御部〕
制御部１１５ａは、ＣＰＵ及びＲＡＭで構成されるマイクロコンピュータであって、図３に示すように、各通信部１１１ａ，１１２ａ、操作部１１３ａ、表示部１１４ａと接続されている。制御部１１５ａは、接続されたこれらの機器それぞれを制御する。特に、本実施形態に係る制御部１１５ａは、第２利用ユニット１０ａの運転制御の他、第１利用ユニット４ａの目標設定温度Ｔｏと温度センサ１０７ａにより検知された対象空間ｓｑ内の温度Ｔｒとの温度差Ｔｘに基づいて、各利用ユニット４ａ，１０ａの運転負荷を制御する。
【００８７】
このような動作を行うため、制御部１１５ａは、図３に示すように、通信制御部１１６ａ、モード把握部１１７ａ、温度差算出部１１８ａ、第１利用ユニット制御部１１９ａ、及び第２利用ユニット制御部１２０ａとして機能する。
【００８８】
−通信制御部−
通信制御部１１６ａは、第１及び第２通信部１１１ａ，１１２ａの通信制御を行う。
【００８９】
例えば、通信制御部１１６ａは、第１利用ユニット４ａの第１運転状況情報及び第２利用ユニット１０ａ，１０ｂの第２運転状況情報を、定期的（例えば５分毎）に第１通信部１１１ａ及び第２通信部１１２ａに取得させる。
【００９０】
また、通信制御部１１６ａは、第１利用ユニット制御部１１９ａ，第２利用ユニット制御部１２０ａの少なくとも一方が第１運転制御情報及び第２運転制御情報を生成すると、第１通信部１１１ａ及び第２通信部１１２ａに、生成された当該情報を第１利用ユニット４ａ及び第２利用ユニット１０ａへと出力させる。
【００９１】
また、通信制御部１１６ａは、第２利用ユニット１０ａが暖房運転等の運転をしている状態であれば、温度センサ１０７ａによる検知結果の出力指示を定期的（例えば５分毎）に第２通信部１１２ａに出力させると共に、当該センサ１０７ａによって検知された対象空間ｓｑ内の最新の温度Ｔｒを、第２通信部１１２ａに取得させる。
【００９２】
−モード把握部−
モード把握部１１７ａは、第１運転状況情報及び第２運転状況情報等に基づいて、ヒートポンプシステム１の現在のモードを把握する。例えば、第１運転状況情報が「第１利用ユニット４ａが給湯運転を行っている」という情報であって、第２運転状況情報が「第２利用ユニット１０ａが電源をオフしている」という情報であれば、モード把握部１１７ａは、ヒートポンプシステム１の現在のモードが“給湯モード”であると把握する。また、第１運転状況情報が「第１利用ユニット４ａが給湯運転を行っている」という情報であって、第２運転状況情報が「第２利用ユニット１０ａが暖房運転を行っている」という情報であれば、モード把握部１１７ａは、ヒートポンプシステム１の現在のモードが“給湯暖房モード”であると把握する。
【００９３】
−温度差算出部−
温度差算出部１１８ａは、第１利用ユニット４ａと第２利用ユニット１０ａとが共に運転している場合に、第１利用ユニット４ａの目標設定温度Ｔｏと温度センサ１０７ａにより検知された温度Ｔｒとの温度差Ｔｘを算出する。例えば、温度差算出部１１８ａは、モード把握部１１７ａによってヒートポンプシステム１のモードが“給湯暖房モード”と把握されている際に、第２通信部１１２ａが温度センサ１０７ａから対象空間ｓｑ内の温度Ｔｒを取得すると、第１利用ユニット４ａにおける目標設定温度Ｔｏから当該温度Ｔｒを減算することで、温度差Ｔｘを求める（Ｔｘ＝Ｔｏ−Ｔｒ）。
【００９４】
尚、上記温度差Ｔｘの算出の際に用いられる目標設定温度Ｔｏは、第１通信部１１１ａが第１利用ユニット４ａから取得した第１運転状況情報中に含まれる目標設定温度Ｔｏが用いられても良く、またはコントローラ１１ａの操作部１１３ａを介してユーザにより設定された第１利用ユニット４ａの目標設定温度Ｔｏが用いられても良いが、いずれにおいても、最新の目標設定温度Ｔｏが温度差Ｔｘの算出に用いられることとする。
【００９５】
また、本実施形態では、第１利用ユニット４ａの目標設定温度Ｔｏから対象空間ｓｑ内の温度Ｔｒを減算することで温度差Ｔｘが求められると説明した。しかし、温度差Ｔｘは、対象空間ｓｑの温度Ｔｒから第１利用ユニット４ａの目標設定温度Ｔｏを減算することで求められてもよい。
【００９６】
−第１利用ユニット制御部−
第１利用ユニット制御部１１９ａは、モード把握部１１７ａによる把握結果と、温度差算出部１１８ａによって求められた温度差Ｔｘとに基づいて、第１利用ユニット４ａの第１運転制御情報を生成する。具体的には、第１利用ユニット制御部１１９ａは、温度差Ｔｘと所定値Ｔａ（ここでは、所定値Ｔａがプラスの値とする）とを比較する。第１利用ユニット制御部１１９ａは、温度差Ｔｘが所定値Ｔａ以下である場合には（Ｔｘ≦Ｔａ）、第１利用ユニット４ａを優先的に運転させるための第１運転制御情報を生成する。逆に、第１利用ユニット制御部１１９ａは、温度差Ｔｘが所定値Ｔａ以上である場合には（Ｔｘ≧Ｔａ）、第１利用ユニット４ａの運転負荷を小さくするべく、第１利用ユニット４ａの運転を停止または運転負荷が低くなるように第１利用ユニット４ａを制御するための第１運転制御情報を生成する。
【００９７】
より具体的には、本実施形態に係る第１利用ユニット制御部１１９ａは、温度差Ｔｘが所定値Ｔａ以上である場合（Ｔｘ≧Ｔａ）、第１利用側流量調節弁４２ａの開度を小さくする制御を行うことで、第１利用ユニット４ａの運転負荷を小さくさせる。この場合の第１利用側流量調節弁４２ａの開度は、温度差Ｔｘが所定値Ｔａ以下である場合（Ｔｘ≦Ｔａ）、即ち第１利用ユニット４ａが優先的に運転される場合の第１利用側流量調節弁４２ａの開度よりも小さくなるように、第１利用ユニット制御部１１９ａによって開度調整が行われる。このように、第１利用側流量調節弁４２ａの開度が小さくなることにより、第１利用ユニット４ａでは、第１利用側熱交換器４１ａを流れる冷媒の流量が少なくなるため、第１利用ユニット４ａの運転負荷が小さくなる。従って、第１利用ユニット４ａのよりも第２利用ユニット１０ａの運転が優先されるようになる。
【００９８】
また、温度差Ｔｘが所定値Ｔａ以下である場合（Ｔｘ≦Ｔａ）、第１利用ユニット制御部１１９ａは、第１利用ユニット４ａの目標設定温度Ｔｏに基づいて給湯運転が行われるように、第１運転制御情報を生成する。つまり、温度差Ｔｘが所定値Ｔａ以下である場合には、上述のように第１利用ユニット４ａの運転負荷を考慮した第１運転制御情報ではなく、第１利用ユニット４ａが通常に運転するような第１運転制御情報が生成される。但し、この場合、第２利用ユニット１０ａ側では後述するように運転負荷が抑えられるため、結果的には第１利用ユニット４ａを優先的に運転させるような第１運転制御情報が生成されることになる。
【００９９】
ここで、温度差Ｔｘが所定値Ｔａよりも大きい場合（Ｔｘ≧Ｔａ）に、なぜ第２利用ユニット１０ａの運転を優先するかについて説明する。例えば、ヒートポンプシステム１のモードが“給湯暖房モード”であって各利用ユニット４ａ，１０ａがそれぞれ給湯運転及び暖房運転を行っている際に、温度差Ｔｘが所定値Ｔａよりも大きくなる場合としては（Ｔｘ≧Ｔａ）、対象空間ｓｑ内の温度Ｔｒが第１利用ユニット４ａの目標設定温度Ｔｏに未だ到達していない状態が挙げられる。この場合、両利用ユニット４ａ，１０ａの運転能力を上げることで対象空間ｓｑ内の温度Ｔｒを上昇させるのが好ましいが、運転能力が上がると両利用ユニット４ａ，１０ａの運転容量も増加してしまうため、熱源ユニット２が能力不足に陥る恐れがある。そこで、本実施形態に係る第１利用ユニット制御部１１９ａは、温度差Ｔｘが所定値Ｔａよりも大きい場合には（Ｔｘ≧Ｔａ）、第１利用ユニット４ａにて加熱された水媒体が温水暖房ユニット９ａにおける対象空間ｓｑ内の暖房に利用されるよりも、空気媒体を加熱して対象空間ｓｑへと供給する第２利用ユニット１０ａの暖房運転を優先させる。前者の運転（つまり、水媒体を利用した暖房運転）よりも、後者の運転（つまり、空気媒体を利用した暖房運転）の方が、対象空間ｓｑ内の温度Ｔｒの立ち上がりが急だからである。
【０１００】
逆に、温度差Ｔｘが所定値Ｔａよりも低いのであれば（Ｔｘ≦Ｔａ）、対象空間ｓｑ内の温度Ｔｒがほぼ目標設定温度Ｔｒであるか、または目標設定温度Ｔｏに近い状態であることになる。そのため、第２利用ユニット１０ａよりも暖房能力の低い水媒体を利用した運転によって対象空間ｓｑ内が温められるようにするべく、第１利用ユニット４ａの運転が優先される。これにより、対象空間ｓｑ内の温度Ｔｒは、第１利用ユニット４ａの目標設定温度Ｔｏに緩やかに近づいていくか、または対象空間ｓｑ内の温度Ｔｒが第１利用ユニット４ａの目標設定温度Ｔｏに保たれた状態となる。
【０１０１】
ここで、所定値Ｔａは、例えば対象空間ｓｑにおける床から天井までの高さや対象空間ｓｑの大きさ等に応じて適宜決定される。例えば、所定値Ｔａは、“１℃”と決定されることができる。
【０１０２】
上述のようにして生成された第１運転制御情報は、第１通信部１１１ａによって第１利用ユニット４ａに送られるが、第１利用ユニット４ａの制御部（図示せず）によって各機器の制御に用いられることとなる。
【０１０３】
−第２利用ユニット制御部−
第２利用ユニット制御部１２０ａは、モード把握部１１７ａによる把握結果と、温度差算出部１１８ａによって求められた温度差Ｔｘとに基づいて、第２利用ユニット１０ａの第２運転制御情報を生成する。具体的には、第２利用ユニット制御部１２０ａは、温度差Ｔｘと所定値Ｔａ（ここでは、所定値Ｔａがプラスの値とする）とを比較する。第２利用ユニット制御部１２０ａは、温度差Ｔｘが所定値Ｔａ以上である場合には（Ｔｘ≧Ｔａ）、第２利用ユニット１０ａを優先的に運転させるための第２運転制御情報を生成する。逆に、第２利用ユニット制御部１２０ａは、温度差Ｔｘが所定値Ｔａ以下である場合には（Ｔｘ≦Ｔａ）、第２利用ユニット１０ａの運転負荷を小さくするべく、第２利用ユニット１０ａの運転を停止または運転負荷が低くなるように第２利用ユニット１０ａを制御するための第２運転制御情報を生成する。
【０１０４】
より具体的には、本実施形態に係る第２利用ユニット制御部１２０ａは、温度差Ｔｘが所定値Ｔａ以下である場合には（Ｔｘ≦Ｔａ）、第２利用側流量調節弁１０２ａの開度を小さくする制御を行うことで、第２利用ユニット１０ａの運転負荷を小さくさせる。この場合の第２利用側流量調節弁１０２ａの開度は、温度差Ｔｘが所定値Ｔａ以上である場合（Ｔｘ≧Ｔａ）、即ち第２利用ユニット１０ａが優先的に運転される場合の第２利用側流量調節弁１０２ａの開度よりも小さくなるように、第２利用ユニット制御部１２０ａによって開度調整が行われる。このように、第２利用側流量調節弁１０２ａの開度が小さくなることにより、第２利用ユニット１０ａでは、第２利用側熱交換器１０１ａを流れる冷媒の流量が少なくなるため、第２利用ユニット１０ａの運転負荷が小さくなる。従って、第２利用ユニット１０ａのよりも第１利用ユニット４ａの運転が優先されるようになる。
【０１０５】
また、温度差Ｔｘが所定値Ｔａ以上である場合（Ｔｘ≧Ｔａ）、第２利用ユニット制御部１２０ａは、第２利用ユニット１０ａの目標設定温度に基づいて暖房運転が行われるように、第２運転制御情報を生成する。つまり、温度差Ｔｘが所定値Ｔａ以上である場合には、上述のように第２利用ユニット１０ａの運転負荷を考慮した第２運転制御情報ではなく、第２利用ユニット１０ａが通常に運転するような第２運転制御情報が生成される。但し、この場合には、既に述べたように第１利用ユニット４ａ側の運転負荷が抑えられた状態となっているため、結果的には第２利用ユニット１０ａを優先的に運転させるような第２運転制御情報が生成されることになる。
【０１０６】
上述した動作によって生成された第２運転制御情報は、第２通信部１１２ａによって第２利用ユニット１０ａに送られ、第２利用ユニット１０ａの制御部（図示せず）によって第２利用側流量調節弁１０２ａの開度制御等に用いられることとなる。
【０１０７】
（３）動作
次に、本実施形態に係るヒートポンプシステム１の動作について、図５を用いて説明する。尚、以下では、説明の便宜上、リモートコントローラ１１ａの制御部１１５ａの各機能部を、まとめて“制御部１１５ａ”と表している。
【０１０８】
ステップＳ１〜Ｓ２：リモートコントローラ１１ａの制御部１１５ａは、第１利用ユニット４ａの第１運転状況情報及び第２利用ユニット１０ａの第２運転状況情報を取得し、各利用ユニット４ａ，１０ａの現在の状況を把握することで、ヒートポンプシステム１の現在のモードを確認する。ヒートポンプシステム１のモードが“給湯暖房モード”である場合（Ｓ１のＹｅｓ）、第２利用ユニット１０ａに設けられた温度センサ１０７ａは、対象空間ｓｑ内の温度Ｔｒを検知し、リモートコントローラ１１ａの第２通信部１１２ａは、これを取得する（Ｓ２）。
【０１０９】
ステップＳ３：制御部１１５ａは、第１利用ユニット４ａの目標設定温度ＴｏからステップＳ２の温度Ｔｒを減算することで、温度差Ｔｘを算出する（Ｓ３）。
【０１１０】
ステップＳ４〜Ｓ５：ステップＳ３で求めた温度差Ｔｘが所定値Ｔａよりも大きい場合には（Ｓ４のＹｅｓ）、制御部１１５ａは、第１利用ユニット４ａの第１利用側流量調節弁４２ａの開度を小さくすることで、第２利用ユニット１０ａの運転を優先させる（Ｓ５）。これにより、第１利用側熱交換器４１ａを流れる冷媒の流量が少なくなり、第１利用ユニット４ａの運転負荷が抑えられるが、対象空間ｓｑ内の温度Ｔｒは、主に第２利用ユニット１０ａによる運転によって第１利用ユニット４ａの目標設定温度Ｔｏに近づけられる。
【０１１１】
ステップＳ６：ステップＳ３で求めた温度差Ｔｘが所定値Ｔａよりも小さい場合には（Ｓ４のＮｏ）、制御部１１５ａは、第２利用ユニット１０ａの第２利用側流量調節弁１０２ａの開度を小さくすることで、第１利用ユニット４ａの運転を優先させる（Ｓ６）。これにより、第２利用側熱交換器１０１ａを流れる冷媒の流量が少なくなり、第２利用ユニット１０ａの運転負荷が抑えられるが、対象空間ｓｑ内の温度Ｔｒは、主に第１利用ユニット４ａによる運転によって第１利用ユニット４ａの目標設定温度Ｔｏに近づけられる（または維持される）。
【０１１２】
ステップＳ７：ヒートポンプシステム１は、ヒートポンプシステム１のモードが“給湯暖房モード”である限り（Ｓ７のＹｅｓ）、ステップＳ２以降の動作を繰り返し行う。ステップＳ１及びＳ７において、ヒートポンプシステム１のモードが“給湯暖房モード”でない場合（Ｓ１のＮｏ，Ｓ７のＮｏ）、ヒートポンプシステム１は、上述した一連の動作を終了する。ここで、ヒートポンプシステム１のモードが“給湯暖房モード”でない場合としては、ヒートポンプシステム１が完全にオフした状態であるか、“給湯モード”“暖房モード”“冷房モード”のように、第１及び第２利用ユニット４ａ，１０ａのいずれか一方のみが運転している場合が挙げられる。
【０１１３】
（４）効果
（Ａ）
本実施形態に係るヒートポンプシステム１によると、第１利用ユニット４ａ及び第２利用ユニット１０ａが共に運転を行っている場合には（ここでは、第１利用ユニット４ａが給湯運転を行うと共に第２利用ユニット１０ａが暖房運転を行う給湯暖房モードである場合を例に採っている）、第１利用ユニット４ａの目標設定温度Ｔｏと温度センサ１０７ａにより検知された温度Ｔｒとの温度差Ｔｘに基づいて、第１利用ユニット４ａ及び第２利用ユニット１０ａの運転負荷が制御される。そのため、第１利用ユニット４ａの運転能力と第２利用ユニット１０ａの運転能力との総和が熱源ユニット２の暖房定格容量を超過する恐れを抑制することができ、対象空間ｓｑを安定して暖房することができる。
【０１１４】
（Ｂ）
具体的には、温度差Ｔｘが所定値Ｔａよりも大きい場合には（Ｔｘ≧Ｔａ）、第２利用ユニット１０ａの運転が優先され、温度差Ｔｘが所定値Ｔａよりも小さい場合には（Ｔｘ≦Ｔａ）、第１利用ユニット４ａの運転が優先される。第１利用ユニット４ａにおいて加熱された水媒体は、第１利用ユニット４ａに接続された温水暖房ユニット９ａによる対象空間ｓｑ内の暖房運転にて用いられるが、一般的に、空気媒体を加熱して暖房運転を行うことができる第２利用ユニット１０ａは、当該温水暖房ユニット９ａによる暖房運転に比して対象空間ｓｑ内を早く温めることができるという特徴を有している。そのため、温度差Ｔｘが比較的大きい場合に第２利用ユニット１０ａの運転が優先されることにより、対象空間ｓｑ内の温度Ｔｒを第１利用ユニット４ａ目標設定温度Ｔｏに早く近づけることができる。また、温度差Ｔｘが比較的小さい場合に第１利用ユニット４ａの運転が優先されることにより、対象空間ｒｑ内の温度は目標設定温度Ｔｏに緩やかに近づくか、または目標設定温度Ｔｏとなった対象空間ｓｑ内の温度がキープされることとなる。
【０１１５】
（Ｃ）
更に、本実施形態に係るヒートポンプシステム１によると、第２利用ユニット１０ａの運転が優先される際、第１利用ユニット４ａの第１利用側流量調節弁４２ａの開度が小さくなるように制御される。つまり、第１利用側流量調節弁４２ａの開度が小さくなることで、第１利用側熱交換器４１ａを流れる冷媒の流量が少なくなるため、第１利用ユニット４ａの運転負荷が小さくなり、第２利用ユニット１０ａが優先されるようになる。
【０１１６】
（Ｄ）
また、本実施形態に係るヒートポンプシステム１によると、第１利用ユニット４ａの運転が優先される際、第２利用ユニット１０ａの第２利用側流量調節弁１０２ａの開度が小さくなるように制御される。つまり、第２利用側流量調節弁１０２ａの開度が小さくなることで、第２利用側熱交換器１０１ａを流れる冷媒の流量が少なくなるため、第２利用ユニット１０ａの運転負荷が小さくなり、第１利用ユニット４ａが優先されるようになる。
【０１１７】
＜第２実施形態＞
上記第１実施形態では、第１及び第２利用ユニット４ａ，１０ａのいずれか一方の優先制御において、第１及び第２利用側流量調節弁４２ａ，１０２ａのいずれかの開度が制御される場合について説明した。第２実施形態では、当該調節弁４２ａ，１０２ａの開度を制御する方法以外の方法で、第１及び第２利用ユニット４ａ，１０ａいずれか一方の優先制御を行う場合について説明する。
【０１１８】
図６は、本実施形態に係るヒートポンプシステム２００の構成を概念的に示す図である。図７は、本実施形態に係るヒートポンプシステム２００の概略構成図である。図８は、本実施形態に係るリモートコントローラ２１１ａの構成を模式的に示す図である。図６に示すように、ヒートポンプシステム２００は、熱源ユニット２０２、第１利用ユニット２０４ａ、貯湯ユニット２０８ａ、温水暖房ユニット２０９ａ、第２利用ユニット２１０ａ、温度センサ３０７ａ及びリモートコントローラ２１１ａ，２１１ｃを備える。第２利用ユニット２１０ａ及び温水暖房ユニット２０９ａは、上記第１実施形態と同様、対象空間ｓｑ内に設置されている。
【０１１９】
リモートコントローラ２１１ａ，２１１ｃは、接続されている各ユニット２１０ａ，２０４ａ（２０９ａ）に関する各種設定や運転制御に関する指示を行ったりすることができる。特に、リモートコントローラ２１１ａは、第１実施形態のリモートコントローラ１１ａと同様、第１及び第２利用ユニット２０４ａ，２１０ａのいずれか一方の優先制御も行う。リモートコントローラ２１１ａは、図８に示すように、第１通信部３１１ａ、第２通信部３１２ａ、操作部３１３ａ、表示部３１４ａ及び制御部３１５ａを有している。制御部３１５ａは、通信制御部３１６ａ、モード把握部３１７ａ、温度差算出部３１８ａ、第１利用ユニット制御部３１９ａ、及び第２利用ユニット制御部３２０ａとして機能する。
【０１２０】
尚、本実施形態に係るヒートポンプシステム２００は、第１及び第２利用ユニット４ａ，１０ａのいずれか一方の優先制御に係る具体的な手法を除いては、上記第１実施形態と同様である。即ち、ヒートポンプシステム２００の熱源ユニット２０２、第１利用ユニット２０４ａ、貯湯ユニット２０８ａ、温水暖房ユニット２０９ａ、第２利用ユニット２１０ａ、温度センサ３０７ａ及びリモートコントローラ２１１ｃは、上記第１実施形態に係るヒートポンプシステム１の熱源ユニット２、第１利用ユニット４ａ、貯湯ユニット８ａ、温水暖房ユニット９ａ、第２利用ユニット１０ａ、温度センサ１０７ａ及びリモートコントローラ１１ｃと同様の構成を有する。従って、第１利用ユニット２０４ａは、第１利用側熱交換器４１ａ、第１利用側流量調節弁４２ａ、循環ポンプ４３ａ等を有しており、第２利用ユニット１０ａは、第２利用側熱交換器１０１ａ、第２利用側流量調節弁１０２ａ、利用側ファン１０５ａ等を有している。尚、図７では、各ユニット２０２，２０４ａ，２０８ａ，２０９ａ，２１０ａの詳細な構成については、図２と同一の符号を付して表している。
【０１２１】
また、リモートコントローラ２１１ａの第１通信部３１１ａ、第２通信部３１２ａ、操作部３１３ａ、表示部３１４ａ、制御部３１５ａの機能である通信制御部３１６ａ、モード把握部３１７ａ、温度差算出部３１８ａは、上記第１実施形態に係るリモートコントローラ１１ａの第１通信部１１１ａ、第２通信部１１２ａ、操作部１１３ａ、表示部１１４ａ、制御部１１５ａの機能である通信制御部１１６ａ、モード把握部１１７ａ、温度差算出部１１８ａと同様である。従って、以下では、本実施形態に係るリモートコントローラ２１１ａの第１利用ユニット制御部３１９ａ及び第２利用ユニット制御部３２０ａについて説明する。
【０１２２】
（１−１）第１利用ユニット制御部
第１利用ユニット制御部３１９ａは、第１実施形態と同様、温度差Ｔｘが所定値Ｔａ（ここでは、所定値Ｔａがプラスの値とする）以下である場合には（Ｔｘ≦Ｔａ）、第１利用ユニット２０４ａを優先的に運転させるための第１運転制御情報を生成する。逆に、第１利用ユニット制御部３１９ａは、温度差Ｔｘが所定値Ｔａ以上である場合には（Ｔｘ≧Ｔａ）、第１利用ユニット２０４ａの運転負荷を小さくするべく、第１利用ユニット２０４ａの運転を停止または運転負荷が低くなるように第１利用ユニット２０４ａを制御するための第１運転制御情報を生成する。
【０１２３】
具体的には、本実施形態に係る第１利用ユニット制御部３１９ａは、温度差Ｔｘが所定値Ｔａ以上である場合（Ｔｘ≧Ｔａ）、第１利用ユニット２０４ａの循環ポンプ４３ａの流量が減少するように循環ポンプ４３ａの流量制御を行うことで、第１利用ユニット２０４ａの運転負荷を小さくさせる。ここで、循環ポンプ４３ａの流量の減少は、循環ポンプモータ４４ａの回転数を減少させることによって実現される。この場合の循環ポンプ４３ａの流量は、温度差Ｔｘが所定値Ｔａ以下である場合（Ｔｘ≦Ｔａ）、即ち第１利用ユニット２０４ａが優先的に運転される場合の循環ポンプ４３ａの流量よりも小さくなるように、第１利用ユニット制御部３１９ａによって流量調整が行われる。このように、第１利用ユニット２０４ａの循環ポンプ４３ａによって水媒体回路８０ａ上を循環する水媒体の流量が減少することによって、第１利用側熱交換器４１ａに流入する水媒体（つまり、熱交換の対象となる水媒体）の流量が減少するため、第１利用側熱交換器４１ａにおける水媒体と冷媒との熱交換が行われにくくなり、第１利用ユニット２０４ａの運転負荷が小さくなる。従って、第１利用ユニット２０４ａのよりも第２利用ユニット２１０ａの運転が優先されるようになる。
【０１２４】
また、温度差Ｔｘが所定値Ｔａ以下である場合（Ｔｘ≦Ｔａ）、第１利用ユニット制御部３１９ａは、第１利用ユニット２０４ａの目標設定温度Ｔｏに基づいて給湯運転が行われるように、第１運転制御情報を生成する。つまり、温度差Ｔｘが所定値Ｔａ以下である場合には、上述のように第１利用ユニット２０４ａの運転負荷を考慮した第１運転制御情報ではなく、第１利用ユニット２０４ａが通常に運転するような第１運転制御情報が生成される。但し、この場合、第２利用ユニット２１０ａ側では運転負荷が抑えられるため、結果的には第１利用ユニット２０４ａを優先的に運転させるような第１運転制御情報が生成されることになる。
【０１２５】
（１−２）第２利用ユニット制御部
第２利用ユニット制御部３２０ａは、第１実施形態と同様、温度差Ｔｘが所定値Ｔａ（ここでは、所定値Ｔａがプラスの値とする）以上である場合には（Ｔｘ≧Ｔａ）、第２利用ユニット２１０ａを優先的に運転させるための第２運転制御情報を生成する。逆に、第２利用ユニット制御部３２０ａは、温度差Ｔｘが所定値Ｔａ以下である場合には（Ｔｘ≦Ｔａ）、第２利用ユニット２１０ａの運転負荷を小さくするべく、第２利用ユニット２１０ａの運転を停止または運転負荷が低くなるように第２利用ユニット２１０ａを制御するための第２運転制御情報を生成する。
【０１２６】
具体的には、本実施形態に係る第２利用ユニット制御部３２０ａは、温度差Ｔｘが所定値Ｔａ以下である場合（Ｔｘ≦Ｔａ）、第２利用ユニット２１０ａの利用側ファン１０５ａの風量を減少させる制御を行うことで、第２利用ユニット２１０ａの運転負荷を小さくさせる。ここで、利用側ファン１０５ａの風量の減少は、利用側ファンモータ１０６ａの回転数を減少させることによって実現される。この場合の利用側ファン１０５ａの風量は、温度差Ｔｘが所定値Ｔａ以上である場合（Ｔｘ≧Ｔａ）、即ち第２利用ユニット２１０ａが優先的に運転される場合の利用側ファン１０５ａの風量よりも小さくなるように、第２利用ユニット制御部３２０ａによって風量調整が行われる。このように、第２利用ユニット２１０ａの利用側ファン１０５ａの風量が小さくなることにより、第２利用ユニット２１０ａ内へと吸い込まれる空気（つまり、熱交換の対象となる空気媒体）の量が減少するため、第２利用側熱交換器１０１ａにおける熱交換があまり行われなくなる他、利用側ファン１０５ａの回転数も低下することから、第２利用ユニット２１０ａの運転負荷が小さくなる。従って、第２利用ユニット２１０ａのよりも第１利用ユニット２０４ａの運転が優先されるようになる。
【０１２７】
また、温度差Ｔｘが所定値Ｔａ以上である場合（Ｔｘ≧Ｔａ）、第２利用ユニット制御部３２０ａは、第２利用ユニット２１０ａの目標設定温度に基づいて暖房運転を行うように、第２運転制御情報を生成する。つまり、温度差Ｔｘが所定値Ｔａ以上である場合には、上述のように第２利用ユニット２１０ａの運転負荷を考慮した第２運転制御情報ではなく、第２利用ユニット２１０ａが通常に運転するような第２運転制御情報が生成される。但し、この場合には、第１利用ユニット２０４ａ側の運転負荷が抑えられた状態となっているため、結果的には第２利用ユニット２１０ａを優先的に運転させるような第２運転制御情報が生成されることになる。
【０１２８】
（２）動作
図９は、ヒートポンプシステム２００の全体的な動作を示すフローチャートである。尚、以下では、図５と同様、リモートコントローラ２１１ａの制御部３１５ａの各機能部を、まとめて“制御部３１５ａ”と表している。
【０１２９】
ステップＳ５１〜Ｓ５２：リモートコントローラ２１１ａの制御部３１５ａは、第１利用ユニット２０４ａの第１運転状況情報及び第２利用ユニット２１０ａの第２運転状況情報を取得し、各利用ユニット２０４ａ，２１０ａの現在の状況を把握することで、ヒートポンプシステム２００の現在のモードを確認する。ヒートポンプシステム２００のモードが“給湯暖房モード”である場合（Ｓ５１のＹｅｓ）、第２利用ユニット２１０ａに設けられた温度センサ３０７ａは、対象空間ｓｑ内の温度Ｔｒを検知し、リモートコントローラ２１１ａの第２通信部３１２ａは、これを取得する（Ｓ５２）。
【０１３０】
ステップＳ５３：制御部３１５ａは、第１利用ユニット２０４ａの目標設定温度ＴｏからステップＳ５２の温度Ｔｒを減算することで、温度差Ｔｘを算出する（Ｓ５３）。
【０１３１】
ステップＳ５４〜Ｓ５５：ステップＳ５３で求めた温度差Ｔｘが所定値Ｔａよりも大きい場合には（Ｓ５４のＹｅｓ）、制御部３１５ａは、第１利用ユニット２０４ａの循環ポンプ４３ａの流量を減少させることで、第２利用ユニット２１０ａの運転を優先させる（Ｓ５５）。これにより、第１利用側熱交換器４１ａを流れる水媒体の流量が少なくなり、第１利用ユニット２０４ａの運転負荷が抑えられるが、対象空間ｓｑ内の温度Ｔｒは、主に第２利用ユニット２１０ａによる運転によって第１利用ユニット２０４ａの目標設定温度Ｔｏに近づけられる。
【０１３２】
ステップＳ５６：ステップＳ５３で求めた温度差Ｔｘが所定値Ｔａよりも小さい場合には（Ｓ５４のＮｏ）、制御部３１５ａは、第２利用ユニット２１０ａの利用側ファン１０５ａの風量を小さくすることで、第１利用ユニット２０４ａの運転を優先させる（Ｓ５６）。これにより、第２利用ユニット２１０ａ自体の運転負荷が抑えられるが、対象空間ｓｑ内の温度Ｔｒは、主に第１利用ユニット２０４ａによる運転によって第１利用ユニット２０４ａの目標設定温度Ｔｏに近づけられる（または維持される）。
【０１３３】
ステップＳ５７：ヒートポンプシステム２００は、ヒートポンプシステム２００のモードが“給湯暖房モード”である限り（Ｓ５７のＹｅｓ）、ステップＳ５２以降の動作を繰り返し行う。ステップＳ５１及びＳ５７において、ヒートポンプシステム２００が“給湯暖房モード”でない場合（Ｓ５１のＮｏ，Ｓ５７のＮｏ）、ヒートポンプシステム２００は、上述した一連の動作を終了する。
【０１３４】
（３）効果
（Ａ）
本実施形態に係るヒートポンプシステム２００によると、第２利用ユニット２１０ａの運転が優先される際、第１利用ユニット２０４ａの第１利用側熱交換器４１ａへと流れる流量が小さくなるように、循環ポンプ４３ａの流量が制御される。つまり、循環ポンプ４３ａにより水媒体回路８０ａ上を循環する水媒体の流量が減少することによって、第１利用側熱交換器４１ａに流入する熱交換の対象となる水媒体の流量も少なくなる。そのため、第１利用ユニット２０４ａの運転負荷が小さくなり、第２利用ユニット２１０ａの運転が優先されるようになる。
【０１３５】
（Ｂ）
また、本実施形態に係るヒートポンプシステム２００によると、第１利用ユニット２０４ａの運転が優先される際、第２利用ユニット２１０ａの利用側ファン１０５ａの風量が減少するように制御される。つまり、利用側ファン１０５ａの風量が減少することにより、第２利用ユニット２１０ａ内へと吸い込まれる空気（即ち、熱交換の対象となる空気媒体）の量が減少するため、第２利用側熱交換器１０１ａにおける熱交換があまり行われなくなる他、利用側ファン１０５ａの回転数も低下することから、第２利用ユニット２１０ａの運転負荷が小さくなる。従って、第２利用ユニット２１０ａのよりも第１利用ユニット２０４ａの運転が優先されるようになる。
＜その他の実施形態＞
（ａ）
上記第１実施形態では、優先されない方の利用ユニット４ａ，１０ａにおいては、利用側流量調節弁４２ａ，１０２ａの開度を小さくする制御が行われると説明した。また、上記第２実施形態では、第１利用ユニット２０４ａが優先されない場合には循環ポンプ４３ａの流量を減少させる制御が行われ、第２利用ユニット２１０ａが優先されない場合には利用側ファン１０５ａの風量を減少させる制御が行われると説明した。
【０１３６】
しかし、本発明に係るヒートポンプシステム２００では、第１利用ユニット４ａ，２０４ａを優先させる場合には、第２利用ユニット１０ａ，２１０ａの運転容量を抑え、逆に第２利用ユニット１０ａ，２１０ａを優先させる場合には、第１利用ユニット４ａ，２０４ａの運転容量を抑えるように、各利用ユニット４ａ，１０ａ，２０４ａ，２１０ａの運転制御を行えばよいため、運転容量を抑えるための具体的な制御内容は、第１及び第２実施形態に係る内容に限定されない。例えば、第１利用ユニットを優先させる場合には、第２利用ユニットの第２利用側流量調節弁の開度を小さくする制御が行われるが、第２利用ユニットを優先させる場合には、第１利用ユニットの循環ポンプの流量を減少させる制御が行われても良い。また、第１利用ユニットを優先させる場合には、第２利用ユニットの利用側ファンの風量を減少させる制御が行われるが、第２利用ユニットを優先させる場合には、第１利用ユニットの第１利用側流量調節弁の開度を小さくする制御が行われても良い。
【０１３７】
（ｂ）
上記第１及び第２実施形態では、ヒートポンプシステム１，２００のモードが“給湯暖房モード”である場合に、各利用ユニット４ａ，１０ａ，２０４ａ，２１０ａのいずれか一方の優先制御が行われる場合について説明した。しかし、本発明に係るヒートポンプシステムでは、第１利用ユニット及び第２利用ユニットが共に運転している場合に、第１及び第２利用ユニットのいずれか一方の優先制御が行われれば良いため、ヒートポンプシステムのモードが“給湯冷房モード”である場合に、第１及び第２利用ユニットのいずれか一方の優先制御が行われても良い。
【０１３８】
（ｃ）
上記第１及び第２実施形態では、ヒートポンプシステム１，２００が図２、図７に示す構成の場合について説明した。しかし、本発明に係るヒートポンプシステムは、図１０に示すような構成の場合にも適用することができる。
【０１３９】
図１０に係るヒートポンプシステム４００は、熱源ユニット２、第１利用ユニット４ａ、貯湯ユニット８ａ、温水暖房ユニット９ａ、第２利用ユニット１０ａ、温度センサ１０７ａ及びリモートコントローラ（図示せず）を備える。尚、第１利用ユニット４ａ以外は、図２と同様であるため、図２と同じ符号を付している。
【０１４０】
利用ユニット４ａは、熱源側冷媒回路２０の一部及び水媒体回路８０ａの一部を構成すると共に、利用側冷媒回路４０ａを構成している。熱源側冷媒回路２０の一部及び水媒体回路８０ａの一部を構成する部分については、第１実施形態と同様である。
【０１４１】
利用側熱源回路４０ａは、図１０に示すように、利用側圧縮機６２ａ、冷媒−水熱交換器６５ａ、冷媒−水熱交側流量調節弁６６ａ及び第１利用側熱交換器４１ａが冷媒管７１ａ、７０ａ、７２ａ、６８ａ、６９ａを介して接続されることによって構成されている。
【０１４２】
利用側圧縮機６２ａは、利用側冷媒を圧縮するための機構であり、図２に係る熱源側圧縮機２１と同様、密閉式圧縮機が採用されている。この利用側圧縮機６２ａは、利用側圧縮機モータ６３ａによって駆動され、利用側圧縮機モータ６３ａは、回転数（即ち、運転周波数）を可変可能に回転することができる。また、利用側圧縮機６２ａの吐出には、カスケード側吐出管７０ａが接続されており、利用側圧縮機６２ａの吸入には、カスケード側吸入管７１ａが接続されている。このカスケード側吸入管７１ａ上には、アキュムレータ６７ａが接続されており、カスケード側吸入管７１ａは、第２カスケード側ガス冷媒管６９ａに接続されている。
【０１４３】
冷媒−水熱交換器６５ａは、利用側冷媒と水媒体との熱交換を行うことで利用側冷媒の放熱器として機能する熱交換器である。冷媒−水熱交換器６５ａのうち、利用側冷媒が流れる流路の液側及びガス側には、カスケード側液冷媒管６８ａ及び第１カスケード側ガス冷媒管７２ａがそれぞれ接続されている。また、冷媒−水熱交換器６５ａのうち、水媒体が流れる流路の入口側及び出口側には、第１利用側水入口管４７ａ及び第１利用側水出口管４８ａがそれぞれ接続されている。尚、第１カスケード側ガス冷媒管７２ａは、カスケード側吐出管７０ａに接続されている。
【０１４４】
冷媒−水熱交側流量調節弁６６ａは、開度制御を行うことで冷媒−水熱交換器６５ａを流れる利用側冷媒の流量を可変することが可能な電動膨張弁であり、カスケード側液冷媒管６８ａに設けられている。
【０１４５】
第１利用側熱交換器４１ａは、熱源側冷媒と利用側冷媒との熱交換を行うことで熱源側冷媒の放熱器として機能する熱交換器である。第１利用側熱交換器４１ａのうち、熱源側冷媒が流れる流路の液側及びガス側には、第１利用側液冷媒管４５ａ及び第１利用側吐出冷媒管４６ａがそれぞれ接続されている。第１利用側熱交換器４１ａのうち、利用側冷媒が流れる流路の液側及びガス側には、カスケード側液冷媒管６８ａ及び第２カスケード側ガス冷媒管６９ａがそれぞれ接続されている。
【０１４６】
図２及び図７の構成において、上述した利用側熱源回路４０ａを加えた構成である第１利用ユニット４ａは、第１利用側熱交換器４１ａを冷媒連絡管１２から導入される熱源側冷媒の放熱器として機能させることで、第１利用側熱交換器４１ａにおいて放熱した熱源側冷媒を冷媒連絡管１３に導出し、第１利用側熱交換器４１ａにおける熱源側冷媒の放熱によって利用側冷媒回路４０ａを循環する利用側冷媒を加熱する。そして、第１利用ユニット４ａは、この加熱された利用側冷媒が利用側圧縮機６２ａにおいて圧縮された後に、冷媒−水熱交換器６５ａにおいて放熱することによって水媒体を加熱する給湯運転を行うことが可能になっている。
【０１４７】
（ｄ）
また、本発明に係るヒートポンプシステムは、図２や図１０のように回路構成されたシステムに限定されず、図１１のように回路構成されたシステムにおいても適用することができる。図１１のシステムは、１台の熱源ユニット２に水媒体用の利用ユニット４ａ及び空気媒体用の利用ユニット１０ａが接続されており、さらに水媒体用の利用ユニット４ａには床暖房等の暖房運転を行うことができる暖房装置９ａが接続されている。また、図１１においては図示してはいないが、図１１のシステムの第２利用ユニット１０ａ内には温度センサが設けられており、第２利用ユニット１０ａにはリモートコントローラが接続されている。
【０１４８】
尚、第２利用ユニット１０ａと暖房装置９ａは、共に１つの対象空間内に設置されている。第２利用ユニット１０ａでは、第２利用側熱交換器１０１ａにて熱交換された空調空気が、利用側ファン１０５ａによって対象空間内へと供給される。第１利用ユニット４ａでは、第１利用側熱交換器４１ａにおいて水媒体が加熱され、加熱後の水媒体は、暖房装置９ａへと供給され、対象空間内の暖房に用いられる。
【０１４９】
（ｅ）
上記第１及び第２実施形態、その他の実施形態（ｃ）では、１つの対象空間ｓｑ内に第２利用ユニットが１台設けられている場合について説明した。しかし、対象空間ｓｑ内に設けられる第２利用ユニットの台数は、１台ではなく、複数台であってもよい。一例として、図１２では、図２の回路構成において第２利用ユニットが２台設けられた場合の概略構成を示しており（図１２の第２利用ユニット１０ａ，１０ｂ）、図１３では、図１０の回路構成において第２利用ユニットが２台設けられた場合の概略構成を示している（図１３の第２利用ユニット１０ａ，１０ｂ）。
【０１５０】
このように、第２利用ユニット１０ａ，１０ｂが複数である場合には、個々の第２利用ユニット１０ａ，１０ｂにおける温度センサ１０７ａ，１０７ｂによって検知された温度Ｔｒを用いて、各第２利用ユニット１０ａ，１０ｂに対して温度差Ｔｘが算出され、算出された温度差Ｔｘそれぞれに基づいて第２利用ユニット１０ａ，１０ｂそれぞれの運転容量が制御される。
【０１５１】
また、対象空間ｓｑ内に複数の第２利用ユニット１０ａ，１０ｂが設置されている場合において、第２利用ユニット１０ａ，１０ｂのうち少なくとも１つが運転を停止している場合には、利用側ファン１０５ａ，１０５ｂを例えば１分間駆動させる制御を行うとよい。利用側ファン１０５ａ，１０５ｂが停止している状態では、対象空間ｓｑ内の空気が第２利用ユニット１０ａ，１０ｂ内に取り込まれないため、温度センサ１０７ａ，１０７ｂが対象空間ｓｑ内の温度Ｔｒを検知することが困難だからである。利用側ファン１０５ａ，１０５ｂが駆動することにより、各利用ユニット１０ａ，１０ｂ内には対象空間ｓｑ内の空気が取り込まれる空気流が生成されるため、各温度センサ１０７ａ，１０７ｂは、対象空間ｓｑ内の温度Ｔｒを検知することができるようになる。
【０１５２】
（ｆ）
また、本発明に係るヒートポンプシステムでは、第１利用ユニットの台数についても１台に限定されず、複数台設けられていてもよい。一例として、図１４では、図２の回路構成において第１利用ユニット４ａが２台設けられた場合の概略構成を示しており（図１４の第１利用ユニット４ａ，４ｂ）、図１５では、図１０の回路構成において第１利用ユニットが２台設けられた場合の概略構成を示している（図１５の第１利用ユニット４ａ，４ｂ）。このように、第１利用ユニットが複数台設けられる場合には、各第１利用ユニットは互いに並列に接続される。このような場合であっても、第１及び第２利用ユニットは、第２利用ユニット内の温度センサによって検知された室内の温度と第１利用ユニットの目標設定温度の温度差に基づいて、運転容量を制御される。
【０１５３】
（ｇ）
更に、本発明に係るヒートポンプシステムでは、第１及び第２利用ユニットそれぞれが複数台設けられていても良い。一例として、図１６では、図２の回路構成において各利用ユニットが２台ずつ設けられた場合の概略構成を示しており（図１６の利用ユニット４ａ，４ｂ，１０ａ，１０ｂ）、図１７では、図１０の回路構成において各利用ユニットが２台ずつ設けられた場合の概略構成を示している（図１７の利用ユニット４ａ，４ｂ，１０ａ，１０ｂ）。
【０１５４】
尚、図１２〜図１７では、温水暖房ユニット９ａ，２０９ａ、貯湯ユニット８ａ，２０８ａ及び水媒体回路８０ａ等の詳細な図示を省略している。
【０１５５】
（ｈ）
上記第１及び第２実施形態では、ヒートポンプシステムが“給湯暖房モード”である場合には、対象空間ｓｑ内の温度Ｔｒが定期的に検知され、当該温度Ｔｒを用いて各利用ユニット４ａ，１０ａ，２０４ａ，２１０ａのいずれか一方の優先制御が行われる場合について説明した。しかし、対象空間ｓｑ内の温度Ｔｒを検知する前に、制御部１１５ａ，３１５ａは、前もって熱源ユニット２の熱源側圧縮機２１の吐出圧力をモニターしていてもよい。制御部１１５ａ，３１５ａは、当該吐出圧力が所定値よりも低い場合に第２熱源ユニット２の定格容量が超過していると判断し、この場合に温度Ｔｒと目標設定温度Ｔｏとの温度差Ｔｘに基づく優先制御を行っても良い。
【産業上の利用可能性】
【０１５６】
本発明に係るヒートポンプシステムは、第１利用ユニットの運転能力と第２利用ユニットの運転能力との総和が熱源ユニットの暖房定格容量を超過する恐れを抑制することができ、対象空間を安定して暖房することができるという効果を有する。本発明に係るヒートポンプシステムは、１つの熱源ユニットに水媒体を加熱可能な第１利用ユニットと、空気媒体を利用して暖房を行う第２利用ユニットとが接続されており、加熱された水媒体が暖房に利用されるシステムに適用することができる。
【符号の説明】
【０１５７】
１  ヒートポンプシステム
２  熱源ユニット
４ａ  第１利用ユニット
８ａ  貯湯ユニット
９ａ  温水暖房ユニット
１０ａ，１０ｂ  第２利用ユニット
１１ａ，１１ｃ  リモートコントローラ
４１ａ  第１利用側熱交換器
４２ａ  第１利用側流量調節弁
４３ａ  循環ポンプ
１０１ａ  第２利用側熱交換器
１０２ａ  第２利用側流量調節弁
１０５ａ  利用側ファン
１０７ａ  温度センサ
１１４ａ  表示部
１１７ａ  温度差算出部
１１８ａ  モード把握部
１１９ａ  第１利用ユニット制御部
１２０ａ  第２利用ユニット制御部
【先行技術文献】
【特許文献】
【０１５８】
【特許文献１】特開２０００−４６４１７号公報
【図１】
2010196955.tif 000003
【図２】
2010196955.tif 000004
【図３】
2010196955.tif 000005
【図４】
2010196955.tif 000006
【図５】
2010196955.tif 000007
【図６】
2010196955.tif 000008
【図７】
2010196955.tif 000009
【図８】
2010196955.tif 000010
【図９】
2010196955.tif 000011
【図１０】
2010196955.tif 000012
【図１１】
2010196955.tif 000013
【図１２】
2010196955.tif 000014
【図１３】
2010196955.tif 000015
【図１４】
2010196955.tif 000016
【図１５】
2010196955.tif 000017
【図１６】
2010196955.tif 000018
【図１７】
2010196955.tif 000019